(57)【特許請求の範囲】
【請求項１】
所定の位置にタブを有し、本身用紙間に挿入されるインデックス紙をそれぞれが同じタブ位置で収納する複数の給紙トレイと、ジョブおよび前記インデックス紙の給紙を制御し、かつ前記給紙トレイ毎に、収納されている前記インデックス紙に関する設定が可能な制御部とを備え、
前記制御部は、前記給紙トレイ毎に収納されている前記インデックス紙のインデックス数、タブ位置およびグループの設定が可能であり、前記ジョブの実行時に、前記ジョブにおけるインデックス紙の挿入位置毎に、設定されたグループ指定および前記インデックス数に応じたタブ位置の順序に従って当該タブ位置を有するインデックス紙が収納された前記給紙トレイを自動的に選択する自動挿入モードを有することを特徴とする画像形成装置。
【請求項２】
前記制御部は、前記ジョブのインデックス紙挿入に対し、インデックス紙が給紙される給紙トレイの指定が可能な手動インデックス紙挿入モードを有することを特徴とする請求項１記載の画像形成装置。
【請求項３】
前記制御部で制御され、操作入力が可能な操作部を備えることを特徴とする請求項１または２に記載の画像形成装置。
【請求項４】
前記制御部は、前記操作部を通してユーザーによる前記インデックス紙の挿入情報の設定を可能にすることを特徴とする請求項３に記載の画像形成装置。
【請求項５】
前記制御部は、前記操作部を通して給紙トレイ毎の前記インデックス紙に関する設定を可能にすることを特徴とする請求項３または４に記載の画像形成装置。
【請求項６】
前記制御部で制御される記憶部を備え、前記制御部は、前記給紙トレイ毎のインデックス紙に関する設定を前記記憶部に参照可能に格納することを特徴とする請求項１〜５のいずれか１項に記載の画像形成装置。
【請求項７】
前記インデックス紙に関するタブ位置の設定内容が、特定のタブ位置または異なるタブ位置を有するインデックス紙の束情報であることを特徴とする請求項１〜６のいずれか１項に記載の画像形成装置。
【発明の詳細な説明】
【技術分野】
【０００１】
この発明は、本身の用紙に、所定位置にタブを有するインデックス紙を挿入して出力することができる画像形成装置に関する。
【背景技術】
【０００２】
近年、多くの画像形成装置は、一連の本身の用紙に画像形成するときに、一連の本身の用紙の区切りに合わせて、画像形成された用紙中にタブの付いたインデックス紙を挿入する機能を有したものがある（例えば特許文献１）。かかる画像形成装置においては、タブ位置が順次連続して異なるように配置された複数のインデックス紙を１セットとし、複数セットを給紙トレイに収容し、収容された順番に給紙して挿入を実施することを前提としている。
例えば、タブ位置が最上部に設けられたインデックス紙が、常に最上部に設定されるように画像形成を行うには、画像形成動作を開始する際に、タブ位置が最上部に位置するインデックス紙が給紙トレイの最上位に配置されるように、予め１セットのタブ紙を複数セット積載しておく。
【先行技術文献】
【特許文献】
【０００３】
【特許文献１】特開２００８−２３８３３号公報
【発明の概要】
【発明が解決しようとする課題】
【０００４】
しかし、従来のインデックス紙の挿入では、以下のような問題点がある。
・セットのインデックス紙が使い切られない場合、残ったタブを有するインデックス紙を不要タブとして排出する必要があり、排出に時間がかかる。
・不要タブ排紙した紙は一度定着を通しているため、再利用ができず、無駄になる。
・途中でＪＡＭが発生した場合には、給紙トレイの中の残タブが無駄になる。
・インデックス紙を挿入する際、給紙トレイに装填されている順番でしか挿入ができない。（１タブ→２タブ・‥）
・インデックス紙を挿入する際、挿入する位置毎に挿入するインデックス紙が入っている給紙トレイを指定する必要があり設定に手間がかかる。
【０００５】
前記した特許文献１の画像形成装置では、不要なタブ位置のインデックス紙を機内で反転することにより有効活用を図り、インデックス紙の無駄をなくすようにしている。しかし、この方法では、無駄の解消が十分とはいえず、その他の問題点を解消することができない。
【０００６】
本発明は、上記事情を背景としてなされたものであり、インデックス紙の無駄をなくすとともに、設定などを容易にしてユーザービリティを向上させることができる画像形成装置を提供することを目的とする。
【課題を解決するための手段】
【０００７】
すなわち、本発明の画像形成装置のうち、第１の本発明は、所定の位置にタブを有し、本身用紙間に挿入されるインデックス紙をそれぞれが同じタブ位置で収納する複数の給紙トレイと、ジョブおよび前記インデックス紙の給紙を制御し、かつ前記給紙トレイ毎に、収納されている前記インデックス紙に関する設定が可能な制御部とを備え、
前記制御部は、前記給紙トレイ毎に収納されている前記インデックス紙のインデックス数、タブ位置およびグループの設定が可能であり、前記ジョブの実行時に、前記ジョブにおけるインデックス紙の挿入位置毎に、設定されたグループ指定および前記インデックス数に応じたタブ位置の順序に従って当該タブ位置を有するインデックス紙が収納された前記給紙トレイを自動的に選択する自動挿入モードを有することを特徴とする。
【０００８】
上記本発明によれば、ジョブにおけるインデックス紙の挿入情報と給紙トレイ毎のインデックス紙に関する設定に従って、インデックス紙の挿入位置に自動的に選択された給紙トレイからインデックス紙が給紙される。
なお、挿入情報は、ジョブ情報に含まれるものであってもよく、また、ジョブ情報とは別に印刷設定などに含まれるものであってもよい。
【００１０】
上記本発明によれば、ジョブにおける挿入情報に含まれる挿入位置と設定されたタブ位置に対応して、給紙トレイが自動的に選択され、該給紙トレイからインデックス紙が給紙される。
【００１２】
上記本発明によれば、ジョブにおける挿入情報に含まれる挿入位置に対応して、タブ位置の順序に従って該当する給紙トレイが自動的に選択され、該給紙トレイからインデックス紙が給紙される。
【００１４】
上記本発明によれば、グループ指定に応じた給紙トレイの選択が可能になる。
【００１６】
上記本発明によれば、挿入情報に含まれるインデックス紙のグループ指定を用いた給紙トレイの選択が可能になる。
【００１７】
第２の本発明の画像形成装置は、前記第１の本発明において、前記制御部は、前記ジョブのインデックス紙挿入に対し、インデックス紙が給紙される給紙トレイの指定が可能な手動インデックス紙挿入モードを有することを特徴とする。
【００１８】
上記本発明によれば、手動インデックス紙挿入モードでは、手動で指定した給紙トレイにおいて束になったインデックス紙から順次インデックス紙が給紙される。
【００１９】
第３の本発明の画像形成装置は、前記第１または第２の本発明において、前記制御部で制御され、操作入力が可能な操作部を備えることを特徴とする請求項１〜７のいずれかに記載の画像形成装置。
【００２０】
上記本発明によれば、操作部を通してユーザーが各種の操作入力を行うことができ、インデックス紙の挿入に関する事項の設定も可能になる。
【００２１】
第４の本発明の画像形成装置は、前記第３の本発明において、前記制御部は、前記操作部を通してユーザーによる前記インデックス紙の挿入情報の設定を可能にすることを特徴とする。
【００２２】
上記本発明によれば、ジョブの設定に際し、前記操作部を通してインデックス紙の挿入情報を設定することができる。
【００２３】
第５の本発明の画像形成装置は、前記第３または第４の本発明において、前記制御部は、前記操作部を通して給紙トレイ毎の前記インデックス紙に関する設定を可能にすることを特徴とする。
【００２４】
上記本発明によれば、前記操作部を通して給紙トレイ毎にインデックス紙に関するタブ位置などの設定を行うことができる。
【００２５】
第６の本発明の画像形成装置は、前記第１〜第５のいずれかの本発明において、前記制御部で制御される記憶部を備え、前記制御部は、前記給紙トレイ毎のインデックス紙に関する設定を前記記憶部に参照可能に格納することを特徴とする。
【００２６】
上記本発明によれば、給紙トレイ毎のインデックス紙に関する設定の情報を記憶部に格納して適宜参照することができる。記憶部には、ＲＡＭや不揮発メモリー、ＨＤＤなどの適宜のものを用いることができる。
【００２７】
第７の本発明の画像形成装置は、前記第１〜第６のいずれかの本発明において、前記インデックス紙に関するタブ位置の設定項目が、特定のタブ位置または異なるタブ位置を有するインデックス紙の束情報であることを特徴とする。
【００２８】
上記本発明によれば、給紙トレイ毎に設定されるタブ位置が、特定のタブ位置のインデックス紙や異なるタブ位置を有するインデックス紙の束を示すものであってもよい。特定のタブ位置の設定は、当該給紙トレイに同一タブ位置のインデックス紙を収納している場合であり、異なるタブ位置を有するインデックス紙の束としては、例えばタブ位置の異なるインデックス紙がずれた状態で収納されているものが挙げられる。
【発明の効果】
【００２９】
上記本発明によれば、以下の効果がある。
・タブ位置の異なるインデックス紙を異なるトレイに装填する場合、残タブ（ＪＡＭ発生時に発生する使用できない残紙）や不要タブが無くなり、インデックス紙が無駄にならない。
・不要タブ排紙が無くなることで、排紙時間にかかる時間が不要となり生産性が上がる。
・挿入位置と使用するインデックス紙のインデックス数を設定するだけで自動的にトレイを選択することでユーザービリティが向上する。
・タブ位置の順番に関わらず挿入可能とすることでユーザーのインデックス紙の使用用途を拡張する。
【図面の簡単な説明】
【００３０】
【図１】本発明の一実施形態の画像形成装置の機械的構成を示す概略図である。
【図２】同じく、回路ブロック図である。
【図３】同じく、トレイ設定画面を示す図である。
【図４】同じく、インデックス紙設定画面を示す図である。
【図５】同じく、インデックス数設定画面を示す図である。
【図６】同じく、タブ位置設定画面を示す図である。
【図７】同じく、タブ位置の設定例を示す図である。
【図８】同じく、グループ設定画面を示す図である。
【図９】同じく、インデックス紙自動挿入モードで設定されているジョブの詳細設定画面を示す図である。
【図１０】同じく、インデックス紙自動挿入モードによるインデックス紙の挿入例を説明する図である。
【図１１】同じく、タブ位置指定自動挿入モードで設定されているジョブの詳細設定画面を示す図である。
【図１２】同じく、タブ位置指定自動挿入モードによるインデックス紙の挿入例を説明する図である。
【図１３】同じく、手動インデックス挿入モードで設定されているジョブの詳細設定画面を示す図である。
【図１４】同じく、インデックス紙の挿入制御に用いられるデーター構造を示す図である。
【図１５】同じく、インデックス紙給紙トレイ選択処理全体の手順を示すフローチャートである。
【図１６】同じく、モード別のインデックス紙トレイ選択処理の手順を示すフローチャートである。
【図１７】同じく、自動インデックス紙挿入モードにおける使用トレイ順、使用トレイ数を決定する処理の手順を示すフローチャートである。
【図１８】同じく、指定タブ自動挿入モードにおける使用トレイ順、使用トレイ数を決定する処理の手順を示すフローチャートである。
【図１９】同じく、手動インデックス紙挿入モードにおける使用トレイ順、使用トレイ数を決定する処理の手順を示すフローチャートである。
【発明を実施するための形態】
【００３１】
以下に、本発明の一実施形態を添付図面に基づいて説明する。
図１は画像形成装置の構成図である。画像形成装置は、画像形成装置本体１００と大容量トレイ２００と後処理装置３００とを有している。
【００３２】
先ず、画像形成装置本体１００について説明する。
原稿は自動原稿搬送手段としての自動原稿搬送部１の原稿給紙台１１に画像面を上向きにして戴置され、送り出しローラ１２の動作により一枚ずつ送り出され、レジストローラ１３により一旦停止されて先端が整えられた後、搬送ドラム１４に搬送され、原稿が該ドラム面に沿って一体に反時計方向に回転する過程で画像読取手段としての画像読取部２により画像面の読取が行われ、その後、略半周した位置においてドラム面より分岐し排紙台１５に排出される。また、自動原稿搬送部１は上記片面読取の搬送機能の他に両面読取のための搬送機能も有するがこの動作は省略する。
【００３３】
画像読取部２においては光源２３ａとミラー２３ｂを備える第１ミラーユニットが搬送ドラム１４の直下の位置で、通過する原稿を順次照明して読み取り、原稿の移動方向に直交するように配置したミラーを備える第２ミラーユニットにより反射し、結像レンズ２５を介してライン状の撮像素子２６に結像し画像情報となる。また静止原稿台２７に原稿を戴置し、前記第１ミラーユニット、第２ミラーユニットが移動して読み取る機能もある。
【００３４】
画像読取部２において読み取られた原稿画像の画像情報は図示しない画像処理手段により画像処理が行われ画像情報として一旦メモリーに格納される。
電子写真プロセスを用いた画像形成手段としての画像形成部３が作動すると、画像情報がメモリーより読み出されて画像書込部３３に入力し、図示していないレーザ発光器からの画像情報に従って変調されたレーザビームがポリゴンミラーの回転作動によって主走査露光を行う。そして前もって帯電器３２により帯電電位を付与された像担持体としての感光体ドラム３１に対して感光体ドラム３１の軸方向の主走査露光と感光体ドラム３１の回転による副走査が行われて感光層に画像情報による静電潜像を形成する。静電潜像は現像器３４により反転現像されてトナー像とされる。
【００３５】
用紙を収容する給紙トレイ４から用紙が給紙される。給紙トレイ４は例えば４Ａ、４Ｂの２段を有し、各給紙ローラ５１Ａ、５１Ｂの何れかが作動して用紙を搬出し、搬送ローラ５５、５６及びタイミングローラ３９に給送されて、感光体ドラム３１上のトナー像に同期して感光体ドラム３１に給紙される。
【００３６】
感光体ドラム３１上のトナー像は転写器３５により反対極性の電圧を印加されて記録紙側に転移して転写され、トナー像を転写された記録紙は除電器３６において除電されて感光体ドラム３１より分離され搬送ベルトを介して定着手段としての定着器３８に搬送され熱ローラ対の圧着加熱によりトナーを溶着して定着されて排紙され、後処理装置３００に搬送される。
一方、用紙が分離された感光体ドラム３１は残留電位の除去処理を受けた後クリーニング装置３７において残留トナーを除去するクリーニング処理を受ける。
【００３７】
大容量トレイ２００は、図１では、２列３段の給紙トレイを有しており、いずれかの給紙トレイに収納された用紙は、画像形成装置本体１００内に搬送され、搬送ローラ５６に至り、上記と同様に搬送および画像形成処理が行われる。
上記した給紙トレイ４、大容量トレイ２００の各給紙トレイでは、一部または全部でインデックス紙の収容が可能になっている。
【００３８】
後処理装置３００は、画像形成装置本体１００で画像形成が行われた用紙に後処理を行う装置であり、パンチ、折り処理、綴じ処理などの適宜の処理を行うものが選択される。この例では、後処理装置３００は、用紙に平綴じを行う平綴じ機からなる。後処理装置３００の構成の説明は省略する。
なお、この実施形態では、画像形成装置本体１００に大容量トレイ２００、後処理装置３００が接続されて画像形成装置が構成されているものについて説明したが、接続装置がこれらに限定されるものではなく、また、画像形成装置本体のみで画像形成装置が構成されるものであってもよい。
【００３９】
次に、図２は、デジタル複合機Ａ（コピア、プリンター、スキャナー）として機能する画像形成装置の回路ブロックを示す図であり、その内容を以下に詳細に説明する。
画像形成装置は、制御ブロック１１０とスキャナー部１３０と操作部１４０とプリンター部１５０とを有するデジタルコピア本体と、図示しないＬＡＮを通して端末（ＰＣ）などの外部機器から入力される画像データーを処理し、またはスキャナー部１３０で得た画像データーを、ＬＡＮを通して端末（ＰＣ）などの外部機器に転送可能にする画像処理手段（プリント＆スキャナーコントローラー）１６０とを備えている。
【００４０】
制御ブロック１１０には前記画像処理手段（プリント＆スキャナーコントローラー）１６０に接続されたＰＣＩバス１１２を有しており、該ＰＣＩバス１１２にＤＲＡＭ制御ＩＣ１１１が接続されている。ＤＲＡＭ制御ＩＣ１１１には、圧縮メモリー１２０とページメモリー１２１とからなる画像メモリーが接続されている。圧縮メモリー１２０は、原稿などの圧縮画像データーを格納するためのメモリーであり、ページメモリー１２１は、画像形成前にプリント対象の非圧縮画像データーを一時的に格納するためのメモリーである。
【００４１】
また、ＰＣＩバス１１２に接続されたＨＤＤ１２７は、画像形成装置１や画像処理手段（プリント＆スキャナーコントローラー）１６０に接続される端末（ＰＣ）などにより生成されたジョブ等を保存する。ＨＤＤ１２７には、複数のジョブの保存が可能である。各ジョブの情報には、画像データーが含まれており、インデックス紙を挿入する場合はインデックス紙の挿入情報が含まれている。
【００４２】
また、制御ブロック１１０には、画像制御ＣＰＵ１１３を備えており、該画像制御ＣＰＵ１１３に前記ＤＲＡＭ制御ＩＣ１１１が接続されている。
また、画像制御ＣＰＵ１１３には、システムメモリー（ＲＡＭ）１１４と不揮発メモリー１１５が接続されている。該不揮発メモリー１１５には、画像形成装置１の初期印刷設定情報や、プロセス制御パラメータ等の機械設定情報、ユーザー設定値、各給紙トレイの用紙情報（用紙サイズ、紙種など）の設定データー、予約ジョブの管理情報、画像制御ＣＰＵ１１３を動作させるためのプログラムなどが読み書き可能に格納されており、システムメモリー（ＲＡＭ）１１４は、データーの一時記録領域などとして使用される。
【００４３】
画像制御ＣＰＵ１１３は、前記不揮発メモリー１１５の不揮発データーを読み取り可能であり、また、所望のデーターを不揮発データーとして不揮発メモリー１１５に書き込むことが可能である。画像制御ＣＰＵ１１３は、上記機械設定情報や印刷設定情報、ジョブ情報などに従って画像形成装置１の各部を動作制御する。
画像制御ＣＰＵ１１３は、画像形成装置１全体を制御するものであり、本発明の制御部を構成する。また、画像制御ＣＰＵ１１３は、ＨＤＤ１２７や圧縮メモリー１２０に格納されたジョブの予約、実行等の制御を行う。
システムメモリー（ＲＡＭ）１１４、不揮発メモリー１１５やＨＤＤ１２７などは、本発明の記憶部に相当し、この記憶部に上記のようにジョブに関するデーターや給紙トレイの設定データーなどを格納することができる。
【００４４】
スキャナー部１３０は、光学読み取りを行うＣＣＤ１３１と、スキャナー部１３０全体の制御を行うスキャナー制御部１３２とを備えている。スキャナー制御部１３２は、前記画像制御ＣＰＵ１１３とシリアル通信可能に接続されている。また、前記ＣＣＤ１３１は、該ＣＣＤ１３１で読み取った画像データーを処理する読み取り処理部１１６に接続され、該読み取り処理部１１６には画像データーを圧縮処理する圧縮ＩＣ１１８が接続され、該圧縮ＩＣ１１８は前記したＤＲＡＭ制御ＩＣ１１１に接続されている。
【００４５】
操作部１４０は、表示部と操作部とを兼ねるものであり、タッチパネルで構成されるＬＣＤ１４１と、操作部全体を制御する操作部制御部１４２とを備えている。該操作部制御部１４２は前記画像制御ＣＰＵ１１３にシリアル通信可能に接続されている。操作部１４０では、画像制御ＣＰＵ１１３の制御を受けて、ＬＣＤ１４１によって、画像形成装置１における印刷設定や動作制御条件などの機械設定入力、出力などに関する設定や、各給紙トレイの用紙情報の設定（サイズ、紙種、インデックス紙に関するもの）や、出力モードなどの設定が可能になっている。出力モードには、インデックス紙を使用する場合の、自動インデックス紙挿入モードや手動インデックス紙挿入モードが含まれる。
さらには、操作部１４０は、設定内容の表示、予約ジョブのリストなどの所望の情報等の表示が可能になっている。
【００４６】
また、前記ＤＲＡＭ制御ＩＣ１１１には、圧縮された画像データーを伸長する伸長ＩＣ１２５が接続されており、該伸長ＩＣ１２５には書き込み処理部１２６が接続されている。該書き込み処理部１２６は、プリンター部１５０のＬＤ部１５２（レーザダイオード）に接続され、該ＬＤ部１５２の動作に用いられる書き込みデーターの処理を行う。ＬＤ部１５２は、図１の書き込み部３４に含まれる。また、プリンター部１５０は、プリンター部１５０の全体（給紙、画像形成、排紙、後処理など）を制御するプリンター制御部１５１を備えており、プリンター制御部１５１は前記した画像制御ＣＰＵ１１３に接続されている。プリンター制御部１５１は画像制御ＣＰＵ１１３の制御指令に従って動作してプリンター部１５０を制御する。
【００４７】
また、前記ＤＲＡＭ制御ＩＣ１１１が接続されたＰＣＩバス１１２には、前記画像処理手段（プリント＆スキャナーコントローラー）１６０のＤＲＡＭ制御ＩＣ１６１が接続されている。前記画像処理手段（プリント＆スキャナーコントローラー）１６０は、画像形成装置をネットワークプリンターやネットワークスキャナーとして使用する場合に、ＬＡＮに接続される端末（ＰＣ）などから画像データー等を画像形成装置１で受信したり、スキャナー部１３０で取得した画像データーをＬＡＮに接続される端末（ＰＣ）などに送信したりするものである。画像処理手段（プリント＆スキャナーコントローラー）１６０では、ＤＲＡＭ制御ＩＣ１６１に、ＤＲＡＭなどで構成される画像メモリー１６２が接続されている。また、画像処理手段（プリント＆スキャナーコントローラー）１６０では、共通バスに前記ＤＲＡＭ制御ＩＣ１６１と、画像処理手段（プリント＆スキャナーコントローラー）１６０全体の制御を行うコントローラー制御ＣＰＵ１６３、ＬＡＮインターフェース１６５が接続されている。ＬＡＮインターフェース１６５は、図示しないＬＡＮに接続される。
【００４８】
次に、上記画像形成装置１の基本的動作について説明する。
先ず、画像形成装置１において画像データーを蓄積する手順について説明する。
第１に画像形成装置１において、スキャナー部１３０で画像を読み取り画像データーを生成する場合について説明する。スキャナー部１３０において原稿からＣＣＤ１３１により画像を光学的に読み取る。この際には、画像制御ＣＰＵ１１３から指令を受けるスキャナー制御部１３２によってＣＣＤ１３１の動作制御を行う。原稿の読み取りは、自動原稿搬送装置（ＡＤＦ）によって行ってもよく、また、プラテンガラス上に原稿を置いて行ってもよい。
【００４９】
画像制御ＣＰＵ１１３はプログラムによって動作し、操作部１４０による操作に基づいてスキャナー部１３０への指令を発行する。ＣＣＤ１３１で読み取られた画像は、読み取り処理部１１６でデーター処理がなされ、データー処理された画像データーは、圧縮ＩＣ１１８において所定の方法によって圧縮され、ＤＲＡＭ制御ＩＣ１１１を介して圧縮メモリー１２０に格納される。また、ＨＤＤ１２７を用いる場合は、ＤＲＡＭ制御ＩＣ１１１を介して圧縮メモリー１２０に格納された画像データーをＨＤＤ１２７に格納する。
【００５０】
この他に画像データーは、ＬＡＮを介して画像形成装置１に入力される。上記画像データーとしては、例えば端末（ＰＣ）などのアプリケーションプログラム等により生成されたものや他の画像形成装置により生成されたものが挙げられる。該データーは、ＬＡＮ、ＬＡＮインターフェース１６５を介して画像処理手段（プリント＆スキャナーコントローラー）１６０で受信され、ＤＲＡＭ制御ＩＣ１６１によって画像メモリー１６２に一旦格納される。上記画像メモリー１６２のデーターは、ＰＣＩバス１１２を介してＤＲＡＭ制御ＩＣ１１１に転送され、ページメモリー１２１に一旦格納される。ページメモリー１２１に格納されたデーターは、ＤＲＡＭ制御ＩＣ１１１を介して圧縮ＩＣ１１８に順次送られて圧縮処理され、ＤＲＡＭ制御ＩＣ１１１を介して圧縮メモリー１２０に格納される。ＨＤＤ１２７に格納する場合、ＤＲＡＭ制御ＩＣ１１１を介して圧縮メモリー１２０に格納されたデーターをＨＤＤ１２７に格納する。
【００５１】
上記圧縮メモリー１２０やＨＤＤ１２７への画像データーの格納とともに出力条件などを操作部１４０で設定するなどしてジョブの設定を行うことができる。複数の予約ジョブは、画像制御ＣＰＵ１１３で管理され、ジョブ管理情報が不揮発メモリー１１５などの記憶部に格納される。
【００５２】
画像形成装置１で画像出力を行う場合、上記のようにしてジョブ管理情報に基づいて圧縮メモリー１２０に格納された画像データーを、ＤＲＡＭ制御ＩＣ１１１を介して伸長ＩＣ１２５に送出してデーターを伸長する。ＨＤＤ１２７に格納された画像データーを画像出力する場合は、ＤＲＡＭ制御ＩＣ１１１を介して一旦圧縮メモリー１２０に格納し、ＤＲＡＭ制御ＩＣ１１１を介して伸長ＩＣ１２５に送出してデーターを伸長する。
伸長したデーターはＤＲＡＭ制御ＩＣ１１１を介して書き込み処理部１２６に送出して書き込みデーターを生成し、ＬＤ部１５２において感光体ドラム３１への書き込みを行う。また、プリンター部１５０では、画像制御ＣＰＵ１１３の指令を受けたプリンター制御部１５１によって給紙トレイ４、大容量トレイ２００、搬送路などの各部の制御が行われる。プリンター部１５０において、画像形成、用紙への転写、定着、搬送路による後処理装置３００への搬送、後処理装置３００での後処理などが順次行われて印刷出力が行われる。
【００５３】
次に、上記操作部１４０を通して給紙トレイ毎に設定を行うトレイ設定画面１４００を図３に示す。操作部１４０の動作（表示など）は、前記したように画像制御ＣＰＵ１１３によって制御される。トレイ設定画面１４００は、画像形成装置の機械設定画面などから選択して表示することができる。
【００５４】
トレイ設定画面１４００の左欄側には、トレイ指定釦群１４０１を有しており、トレイ指定釦群１４０１には各給紙トレイに対応する釦が複数、押釦可能に表示されている。ＰＩトレイは、後処理装置に備えられた用紙挿入トレイを示すものである。すなわち、給紙トレイは、画像形成装置本体１００内や、上流側の他、画像形成装置本体１００の下流側に設けられるものであってもよい。
また、トレイ設定画面１４００の右欄側には、トレイ設定内容表示欄１４０２が設けられており、用紙サイズや、紙種、表裏調整、プロセス調整、エアーブローなどの設定内容が表示されている。トレイ設定内容表示欄１４０２には、用紙サイズに関する設定変更釦１４０３、表裏調整およびプロセス調整に関する設定変更釦１４０４、エアーブローに関する設定変更釦１４０５がそれぞれ押釦可能に表示されている。設定登録釦１４０６を押釦することで変更された各設定内容が反映されて、本発明の記憶部に相当する不揮発メモリー１１５やＨＤＤ１２７などに格納される。
【００５５】
図４は、上記トレイ設定画面１４００の給紙トレイ指定釦群１４０１でトレイ１の釦を選択して押釦し、さらに設定変更釦１４０３を押釦したりすることで、操作部１４０に表示されるサイズ設定画面１４１０を示すものである。サイズ設定画面１４１０の左欄側には、サイズ種別設定釦群１４１３が、サイズ毎に押釦可能に表示されており、そのうちにはインデックス紙を指定するインデックス紙釦１４１４が押釦可能に表示されている。インデックス紙釦１４１４が押釦されると、サイズ設定画面１４１０の右欄側には、インデックス紙設定画面１４１５が表示される。該インデックス紙設定画面１４１５の中央および左欄側には、各種用紙サイズのサイズ釦が押釦可能に表示されており、その右欄側には、グループ指定設定釦１４１６、グループ指定表示欄１４１６ａ、インデックス数設定釦１４１７、インデックス数表示欄１４１７ａ、タブ位置設定釦１４１８、タブ位置表示欄１４１８ａが順次上から下に配列表示されている。
また、サイズ設定画面１４１０の右下欄には、ＯＫ釦１４１１とキャンセル釦１４１２とが押釦可能に表示されている。ＯＫ釦を押釦すると当該画面で設定した設定内容が決定し、キャンセル釦１４１２を押釦すると設定内容がキャンセルされる。
【００５６】
グループ指定設定釦１４１６を押釦すると、画面右側が後述するグループ指定設定画面に遷移し、グループ指定設定画面で設定された内容がグループ指定表示欄１４１６ａに表示される。インデックス設定釦１４１７を押釦すると、画面右側が後述するインデックス数設定画面に遷移し、インデックス設定画面で設定された内容がインデックス数表示欄１４１７ａに表示される。タブ位置設定釦１４１８を押釦すると、画面右側が後述するタブ位置設定画面に遷移し、タブ位置設定画面で設定された内容がタブ位置表示欄１４１８ａに表示される。
【００５７】
図５は、図４のサイズ設定画面１４１０で、インデックス数設定釦１４１７が押釦された際に表示されるサイズ設定画面１４１０を示すものであり、右欄側にインデックス数設定画面１４２０が表示されている。
インデックス紙設定画面１４２０には、インデックス数を入力するためのテンキー１４２１が押釦可能に表示されており、入力された数値は、インデックス数入力表示欄１４２２に表示される。インデックス数を入力して画面下側のＯＫ釦１４２３を押釦すると、入力された数値がインデックス数となり、図４の画面に戻り、入力された数値がインデックス数表示欄１４１７ａに表示される。画面下側のキャンセル釦１４２４を押釦すると、テンキー１４２１で入力された数値がキャンセルされてインデックス数入力表示欄１４２２の数値が消去され、新たな数値の入力が可能になる。
【００５８】
図６は、図４のサイズ設定画面１４１０で、タブ位置設定釦１４１８が押釦された際に表示されるサイズ設定画面１４１０を示すものであり、右欄側にタブ位置設定画面１４３０が表示されている。
タブ位置設定画面１４３０には、タブ位置を入力するためのテンキー１４３１が押釦可能に表示されており、入力された数値は、タブ位置入力表示欄１４３２に表示される。
また、テンキー１４３１の右側には、束釦１４３３が押釦可能に表示されており、束釦１４３３を押釦すると、インデックス数に応じた束のインデックス紙がタブ位置を順にして該当するトレイに収納されているものとして設定される。
【００５９】
図７（ａ）は、インデックス数５であって、タブ位置「２」を指定した場合の概略を示すものであり、総タブ数５のインデックス紙のうち、２タブ目のインデックス紙がトレイに装着されていることを示す。
図７（ｂ）は、インデックス数５のインデックス紙が、タブ順で束になってトレイに装着されていることを示す。
【００６０】
タブ位置を入力して画面下側のＯＫ釦１４３４を押釦すると、入力された数値がタブ位置となり、図４の画面に戻り、入力された数値がタブ位置表示欄１４１８ａに表示される。
束釦１４３３を押釦してＯＫ釦１４３４を押釦すると、束がタブ位置となり、図４の画面に戻り、タブ位置表示欄１４１８ａに束の表示やインデックス数に応じて１−５などが表示される。
画面下側のキャンセル釦１４３５を押釦すると、入力された数値や束の指定がキャンセルされてタブ位置入力表示欄１４３２の表示が消去され、新たな数値の入力や束の指定が可能になる。
【００６１】
図８は、図４のサイズ設定画面１４１０で、グループ設定釦１４１６が押釦された際に表示されるサイズ設定画面１４１０を示すものであり、右欄側にグループ設定画面１４４０が表示されている。
グループ設定画面１４４０は、トレイに装填されたインデックス紙が、どのグループに属するかを指定するものである。複数の給紙トレイに２種類のインデックス紙が装填されている場合に、どのインデックス紙を挿入するかを判断するために設定を行う。
例えば、以下のように３タブの２種類のインデックス紙がトレイに入っている場合にタブ位置２のインデックス紙を選択する場合に、トレイ２かトレイ５のどちらから挿入するかが判断できない。
（１）トレイ１−タブ位置１
（２）トレイ２−タブ位置２
（３）トレイ３−タブ位置３
（４）トレイ４−タブ位置１
（５）トレイ５−タブ位置２
（６）トレイ６−タブ位置３
【００６２】
グループ設定画面１４４０には、グループを指定入力するためのテンキー１４４１が押釦可能に表示されており、入力された数値は、グループ入力表示欄１４４２に表示される。
また、テンキー１４４１の右側には、指定なし釦１４４３が押釦可能に表示されており、指定なし釦１４４３を押釦すると、グループの指定なしに設定される。
グループ番号の数値を入力して画面下側のＯＫ釦１４４４を押釦すると、入力された数値がグループ番号となり、図４の画面に戻り、入力された数値がグループ設定表示欄１４１６ａに表示される。指定なしが設定されていると、グループ設定表示欄１４１６ａには指定なしと表示される。
グループ設定画面１４４０下側のキャンセル釦１４４５を押釦すると、入力された数値または指定なしがキャンセルされてグループ設定表示欄１４４２の数値または指定なしが消去され、新たな数値の入力または指定なしの設定が可能になる。
【００６３】
以下、画像制御ＣＰＵ１１３で実行されるインデックス紙の自動挿入モードについて説明する。自動挿入モードは、初期設定によって設定されているものであってもよく、また、ユーザーが機械設定画面などによって自動挿入モードと手動インデックス紙挿入モードのうちから選択するものであってもよい。自動挿入モードには、さらに自動インデックス紙挿入モードと、指定タブ自動挿入モードとを有している。
【００６４】
図９は、タブ位置を指定しない自動インデックス紙挿入モードが設定されたジョブの詳細設定画面１４５０を示すものであり、プリンタドライバー上で設定される。
プリンタドライバーでインデックス紙挿入モードを「自動」、出力タブを「全て」、グループをグループ１に設定している。これらの設定は、本発明の挿入情報に相当し、不揮発メモリー１１５やＨＤＤ１２７などの記憶部に格納される。
挿入ページ欄１４５１には、インデックス紙を挿入するページ（２、４、６、８、１０頁）が表示されており、当該ページはユーザーが入力、変更することができる。
種類は、「片面印刷」、「両面印刷」、「白紙」の中から選択され、図の種類欄１４５２では「片面印刷」が設定されている。
グループ欄１４５３には、設定したグループ番号「１」が表示されている。
モード欄１４５４には、設定した「自動」が表示されている。すなわち、自動インデックス紙挿入モードが有効になっている。モードは、「自動」「手動」の中から選択可能である。「自動」は、出力タブで指定した対象インデックス紙が入っているトレイを自動的に選択する。「手動」は、選択されたトレイからインデックス紙を挿入する。
この例では、出力タブが全てに設定されており、タブ位置を指定しない自動インデックス紙挿入モードである。
出力タブ欄１４５５には、設定した「全て」が表示されている。
出力タブは「全て」「指定」の中から選択する。「全て」は、グループの中の全てトレイが挿入インデックス紙の対象となり、「指定」では指定したタブ位置が入っているトレイのみが挿入インデックス紙の対象となる。
画面下側のＯＫ釦１４５６の押釦によって設定内容が確定する。
【００６５】
上記設定に基づくインデックス紙の挿入例を図１０に基づいて説明する。なお、給紙トレイでは、インデックス紙に関する以下の設定がなされているものとする。
・トレイ３（インデックス紙、インデックス数：５、タブ位置：１、グループ１）
・トレイ４（インデックス紙、インデックス数：５、タブ位置：３、グループ１）
・トレイ５（インデックス紙、インデックス数：５、タブ位置：２、グループ１）
・トレイ６（インデックス紙、インデックス数：５、タブ位置：５、グループ１）
・トレイ７（インデックス紙、インデックス数：５、タブ位置：４、グループ１）
また、ジョブの詳細設定では、上記のように、
２Ｐ／４Ｐ／６Ｐ／８Ｐ／１０Ｐ目にグループ１の片面印刷インデックス紙を自動挿入する設定がなされている。
上記設定において、インデックス挿入位置において給紙トレイが自動的に選択され、本身の用紙間に各インデックス紙がタブ位置順で挿入される。
【００６６】
図１１は、指定タブ位置による指定タブ自動挿入モードが設定されたジョブの詳細設定画面１４６０を示すものであり、プリンタドライバー上で設定される。
プリンタドライバーでインデックス紙挿入モードを「自動」、出力タブのタブ位置を「２、５」、グループをグループ１に設定している。これらの設定は、本発明の挿入情報に相当し、不揮発メモリー１１５やＨＤＤ１２７などの記憶部に相当するものに格納される。
挿入ページ欄１４６１には、インデックス紙を挿入するページ（３、７頁）が表示されており、当該ページはユーザーが入力、変更することができる。
種類は、「片面印刷」、「両面印刷」、「白紙」の中から選択され、図の種類欄１４６２では「片面印刷」が設定されている。
グループ欄１４６３には、設定したグループ番号「１」が表示されている。
モード欄１４６４には、設定した「自動」が表示されている。モードは、「自動」「手動」の中から選択可能である。この例では、出力タブが特定のタブ位置に指定されており、指定タブ自動挿入モードになっている。
出力タブ欄１４６５には、設定した「２、５」が表示されている。
画面下側のＯＫ釦１４６６の押釦によって設定内容が確定する。
【００６７】
上記設定に基づくインデックス紙の挿入例を図１２に基づいて説明する。なお、給紙トレイでは、インデックス紙に関する以下の設定がなされているものとする。
・トレイ３（インデックス紙、インデックス数：５、タブ位置：１、グループ１）
・トレイ４（インデックス紙、インデックス数：５、タブ位置：３、グループ１）
・トレイ５（インデックス紙、インデックス数：５、タブ位置：２、グループ１）
・トレイ６（インデックス紙、インデックス数：５、タブ位置：５、グループ１）
・トレイ７（インデックス紙、インデックス数：５、タブ位置：４、グループ１）
また、ジョブの詳細設定では、上記のように、
３Ｐ／７Ｐ目に、タブ位置が２とタブ位置が５のインデックス紙を自動挿入する設定がなされている。
上記設定において、インデックス挿入位置において所定タブ位置の給紙トレイが自動的に選択され、本身の用紙間に各インデックス紙が挿入される。したがって、タブ位置の順序に拘わらず、所望のタブ位置のインデックス紙を挿入することができる。
【００６８】
次に、図１３は、手動インデックス紙挿入モードが設定されたジョブの詳細設定画面１４７０を示すものであり、プリンタドライバー上で設定される。
プリンタドライバーでインデックス紙挿入モードを「手動」、出力タブのタブ位置を「全て」、グループを「指定なし」に設定している。これらの設定は、本発明の挿入情報に相当し、不揮発メモリー１１５やＨＤＤ１２７などの記憶部に相当するものに格納される。
挿入ページ欄１４６１には、インデックス紙を挿入するページ（２、４、６、８、１０）が表示されており、当該ページはユーザーが入力、変更することができる。
種類は、「片面印刷」、「両面印刷」、「白紙」の中から選択され、図の種類欄１４７２では「片面印刷」が設定されている。
グループ欄１４７３には、「指定無し」が表示されている。手動インデックス紙挿入モードが設定されると、グループ設定は自動的に指定無しになる。
モード欄１４７４には、設定した「手動」が表示されている。すなわち、手動インデックス紙挿入モードが有効になっている。手動が選択されると、プルダウンで選択トレイが表示される。このうちの給紙トレイを指定する。
出力タブ欄１４７５には、設定した「全て」が表示されている。
画面下側のＯＫ釦１４７６の押釦によって設定内容が確定する。
手動インデックス紙挿入モードでは、挿入するページ（２、４、６、８、１０）毎に、１つの指定した給紙トレイからインデックス紙が順次給紙される。したがって、指定した給紙トレイには、挿入順でまとめたインデックス紙の束が収納される。
【００６９】
図１４は、インデックス紙挿入モードにおいて使用される設定データーの構造を示すものである。
データー構造は、１．グループ指定設定、２．インデックス数設定、３．タブ位置、４、使用トレイ数、５．使用順トレイ情報、６．挿入カウンタからなる。
１．グループ指定は、この例では、指定なし、グループ１〜５のいずれかのデーターが設定される。
２．インデックス数設定は、この例では、０〜１０のいずれかのデーターが設定される。
３．タブ位置設定は、この例では、束、またはタブ位置１〜１０のいずれかのデーターが設定される。
４．使用トレイ数は、この例では、１〜８のいずれかのデーターが設定される。
５．使用順トレイ情報は、この例では、トレイ１〜トレイ８の中から順次設定される。上から順に使用するトレイのトレイ番号が保存される。
６．挿入カウンタは、この例では、１〜８の使用順トレイ情報参照のポインターが設定される。例えば、挿入カウンタが「０」の場合は、使用順トレイ情報の挿入トレイ１を示す。
上記データーは、インデックス紙の挿入情報として用いることができる。
【００７０】
次に、インデックス紙を挿入するトレイの選択処理全体の手順を図１５のフローチャートに基づいて説明する。
ジョブの実行により処理を開始し、当該ページがインデックス紙を挿入するかを判定する（ステップｓ１）。インデックス紙の挿入位置は、挿入情報に含まれており、当該ページが挿入位置に相当するかによって上記判定を行うことができる。
インデックス紙を挿入するページでなければ（ステップｓ１、ＮＯ）、本身用のトレイを選択する制御を行い（ステップｓ３）、当該ページにおける処理を終了する。
インデックス紙を挿入するページの場合（ステップｓ１、ＹＥＳ）、後述するモード別インデックス紙のトレイ選択処理を行う（ステップｓ２）。次いで、部の終了かを判定し（ステップｓ４）、部の終了であれば（ステップｓ４、ＹＥＳ）、挿入カウンタを０に設定し、当該ページの処理を終了する。部の終了でなければ（ステップｓ４、ＮＯ）、当該ページにおける処理を終了する。
上記処理をページ毎に行うことでジョブにおけるインデックス紙の挿入制御を行うことができる。
【００７１】
次に、モード別インデックス紙のトレイ選択処理の詳細を図１６のフローチャートに基づいて説明する。
当該処理では、先ず自動インデックス紙挿入モードかを判定する（ステップｓ１０）。自動インデックス紙挿入モードの場合（ステップｓ１０、ＹＥＳ）、後述する自動インデックス紙挿入モードのトレイ使用順および使用トレイ数を決定する処理を行い（ステップｓ１１）、挿入カウンタに関するステップｓ１６に移行する。
【００７２】
自動インデックス紙挿入モードでない場合（ステップｓ１０、ＮＯ）、指定タブ自動挿入モードかを判定する（ステップｓ１２）。指定タブ自動挿入モードであれば（ステップｓ１２、ＹＥＳ）、後述する指定タブ挿入モードのトレイ使用順および使用トレイ数を決定する処理を行い（ステップｓ１３）、挿入カウンタに関するステップｓ１６に移行する。
指定タブ自動挿入モードでなければ（ステップｓ１２、ＮＯ）、手動インデックス紙挿入モードかを判定する（ステップｓ１４）。手動インデックス紙挿入モードであれば（ステップｓ１４、ＹＥＳ）、後述する手動インデックス紙挿入モードのトレイ使用順および使用トレイ数を決定する処理を行い（ステップｓ１５）、挿入カウンタに関するステップｓ１６に移行する。手動インデックス紙挿入モードでなければ（ステップ１４、ＮＯ）、そのまま処理を終了する。
【００７３】
ステップｓ１６では、挿入カウンタが、使用トレイ数よりも小さいかを判定する。挿入カウンタが使用トレイ数よりも小さければ（ステップｓ１６、ＹＥＳ）、挿入カウンタに基づいて使用順トレイ情報に格納されているトレイよりインデックス紙を挿入するトレイを決定し（ステップｓ１７）、挿入カウンタに１を加算して（ステップｓ１８）、処理を終了する。一方、挿入カウンタが使用トレイ数以上であれば（ステップｓ１６，ＮＯ）、挿入カウンタを０にセットし（ステップｓ１９）、処理を終了する。
【００７４】
次に、上記した自動インデックス挿入モードでのトレイ使用順と使用トレイ数決定処理の手順について図１７のフローチャートに基づいて説明する。
この手順では、先ずＮ＝１に設定し、チェックトレイ＝１、使用トレイ数＝０に設定する（ステップｓ２０）。Ｎは、インデックス数に関連した変数である。
【００７５】
次いでインデックス数がＮより小さいかを判定し（ステップｓ２１）、インデックス数がＮより小さければ（ステップｓ２１、ＹＥＳ）、処理を終了する。
インデックス数がＮ以上であれば（ステップｓ２１、ＮＯ）、チェックトレイが指定グループかを判定する（ステップｓ２２）。指定グループなしの場合は、ＹＥＳと判定する。
指定グループでない場合（ステップｓ２２、ＮＯ）、チェックトレイに１を加算し（ステップｓ２７）、ステップｓ２１に戻る。
指定グループである場合（ステップｓ２２、ＹＥＳ）、チェックトレイのタブ位置がＮかを判定する（ステップｓ２３）。チェックトレイのタブ位置がＮでなければ（ステップｓ２３、ＮＯ）、ステップｓ２７に移行する。
【００７６】
チェックトレイのタブ位置がＮの場合（ステップｓ２３、ＹＥＳ）、使用順トレイ情報に、チェックトレイのトレイＮｏ．を格納する（ステップ２４）。次いで、使用トレイ数に１を加算し（ステップｓ２５）、Ｎに１を加算する（ステップｓ２６）。次いでチェックトレイに１を加算し（ステップｓ２７）、ステップｓ２１に戻る。
上記手順を繰り返し、上記したようにインデックス数がＮよりも小さくなると（ステップｓ２１、ＹＥＳ）、処理を終了する。
【００７７】
次に、指定タブ自動挿入モードでのトレイ使用順と使用トレイ数決定処理の手順について図１８のフローチャートに基づいて説明する。
先ず、Ｔ＝先頭指定出力タブ数、チェックトレイ＝１、使用トレイ数＝０に設定する（ステップｓ３０）。次いで、Ｔ＝チェック指定タブ数無し、かを判定し（ステップｓ３１）、指定タブ数無しであれば（ステップｓ３１、ＹＥＳ）、処理を終了する。指定タブ無しでなければ（ステップｓ３１、ＮＯ）、チェックトレイが指定グループかを判定する（ステップｓ３２）。指定グループなしの場合は、ＹＥＳと判定する。
指定グループでなければ（ステップｓ３２、ＮＯ）、ステップｓ３７に移行してチェックトレイに１を加算し、ステップｓ３１に戻る。
【００７８】
指定グループであれば（ステップｓ３２、ＹＥＳ）、チェックトレイのタブ位置がＴかを判定する（ステップｓ３３）。チェックトレイのタブ位置がＴでなければ（ステップｓ３３、ＮＯ）、ステップｓ３７に移行し、チェックトレイのタブ位置がＴであれば（ステップｓ３３、ＹＥＳ）、使用順トレイ情報にチェックトレイのトレイＮｏ．を格納する（ステップｓ３４）。次いで、使用トレイ数に１を加算し（ステップｓ３５）、次いでＴを次の指定出力タブ数に設定し（ステップｓ３６）、チェックトレイに１を加算して（ステップｓ３７）、ステップｓ３１に戻る。
上記手順を繰り返し、上記したようにＴ＝チェック指定タブ数無しになると（ステップｓ３１、ＹＥＳ）、処理を終了する。
【００７９】
次に、手動インデックス挿入モードでのトレイ使用順と使用トレイ数決定処理の手順について図１９のフローチャートに基づいて説明する。
先ず、チェックトレイ＝１、使用トレイ数＝０に設定し（ステップｓ４０）、チェックトレイが指定トレイかを判定する（ステップｓ４１）。指定グループなしの場合は、ＹＥＳと判定する。指定トレイであれば（ステップｓ４１、ＹＥＳ）、使用順トレイ情報にインデックス数分のチェックトレイのトレイＮｏ．を格納する（ステップｓ４２）。トレイＮｏ．は全て同一である。次いで、使用トレイ数＝インデックス数に設定し（ステップｓ４４）、処理を終了する。
【００８０】
チェックトレイが指定トレイでない場合（ステップｓ４１、ＮＯ）、チェックトレイに１を加算し（ステップｓ４３）、ステップｓ４１に戻る。
【００８１】
以上、本発明について、上記実施形態に基づいて説明を行ったが、本発明は上記実施形態の内容に限定されるものではなく、本発明の範囲を逸脱しない限りは適宜の変更が可能である。
【符号の説明】
【００８２】
１００  画像形成装置本体
１１３  画像制御ＣＰＵ
１１５  不揮発メモリー
１２７  ＨＤＤ
２００  大容量トレイ
３００  後処理装置
【図１】
0005660335.tif 000002
【図２】
0005660335.tif 000003
【図３】
0005660335.tif 000004
【図４】
0005660335.tif 000005
【図５】
0005660335.tif 000006
【図６】
0005660335.tif 000007
【図７】
0005660335.tif 000008
【図８】
0005660335.tif 000009
【図９】
0005660335.tif 000010
【図１０】
0005660335.tif 000011
【図１１】
0005660335.tif 000012
【図１２】
0005660335.tif 000013
【図１３】
0005660335.tif 000014
【図１４】
0005660335.tif 000015
【図１５】
0005660335.tif 000016
【図１６】
0005660335.tif 000017
【図１７】
0005660335.tif 000018
【図１８】
0005660335.tif 000019
【図１９】
0005660335.tif 000020